(57)【要約】【課題】内箱に形成された係合部が外箱の開口部から外部に露出しないようにし、外観を損なうこと、破損を生じること、及び、内部に収納している紙の汚損を防止し、組立作業を簡略化する。【解決手段】紙３１を取り出すスリット状の開口部２ａを備えた内箱１と、該内箱１を引き出し式に挿入する外箱１１とで構成し、内箱１の背面３の下端部に外側に折り曲げた内箱側折曲片３ａを形成し、外箱１１の背面１２の上端部に内側に折り曲げた外箱用折曲片１２ａを形成した。内箱側折曲片３ａと外箱用折曲片１２ａとが外箱１１の内部で係合することにより、外箱１１の上面側への内箱１の引き出し範囲が規制される。【選択図】図３
2006103741.tif 000002
【特許請求の範囲】
【請求項１】
収納された紙を取り出すスリット状の開口部を前面に備えた内箱と、該内箱が上面に引き出し自在にして挿入される外箱と、で構成され、前記内箱の背面における下端部を外側に折り曲げて内箱側折曲片を形成し、前記外箱の背面における上端部を内側に折り曲げて外箱側折曲片を形成したことを特徴とする携帯用紙箱。
【請求項２】
前記前記外箱の前面における上端部を、中央が両端よりも下方になるように形成したことを特徴とする請求項１に記載の携帯用紙箱。
【発明の詳細な説明】
【技術分野】
【０００１】
この発明は、例えば化粧用の脂取り紙等の複数枚の紙を収納する携帯用紙箱の構造の改良に関する。
【背景技術】
【０００２】
図４は、従来の携帯用紙箱の構成を示す外観図である。紙箱４１は、紙４５を収納する収納部４２と蓋部４３とから成り、収納部４２には内部の紙４５を取り出すためのスリット状の開口部４４が設けられている。また、蓋部４３の先端の中央には凸部４３ａが設けられており、収納部４２の対向する部分には凸部４３ａと同じ幅の切込み部４２ａが設けられている。収納部４２に収められた紙４５は１枚ずつ噛み合わせた状態で折り重ねられており、１枚引き抜くと次の紙の先端が開口部４４から出るようになっている。このため、使用しない時には凸部４３ａを切込み部４２ａに挿入して蓋をすることにより、次の紙が汚れたり破れたりすることを防止している。
【０００３】
ところが、このような紙箱では蓋をする際、蓋の凸部を切込み部に挿入するのが困難であったり、開ける際に凸部が切込み部からうまく抜けず、蓋が破れたりすることがあった。また、長期間使用している間に凸部が破れたり、切込み部が広がって凸部を挿入したにも関わらず蓋が開いてしまう等の問題があった。
【０００４】
このため、出願人は、図５に示すように、収納された紙を取り出すスリットを備えた内箱３１と、該内箱３１を引き出し式に挿入する外箱３２と、で構成され、内箱３１および外箱３２に内箱３１を抜脱しない位置で係止する係合部３３及び開口部３４を設けた携帯用紙箱を提案した（例えば、特許文献１参照。）。
【０００５】
この構成においては、内箱３１が外箱３２から引き出され、内箱３１の前面に開設されたスリットから、内部３１の紙が取り出される。この際内箱３１は、内箱３１および外箱３２の背面に設けられた係合部３３と開口部３４との係合により係止されて、外箱３２から抜脱することはなく、使用後には内箱３１が再度挿入されることによりスリットが閉じられる。このため、開閉の際の操作性が良く、使用が長期間におよぶ場合でも破れることなく、最後まできちんと蓋をすることができる。
【特許文献１】実開平０５−０７５１７９号公報
【発明の開示】
【発明が解決しようとする課題】
【０００６】
しかしながら、特許文献１に開示された構成では、内箱３１に設けられた係合部３３が外箱３２の開口部３４から外部に常時露出する。このため、外観が煩雑なイメージになるだけでなく、収納時や取り出し時に係合部３３が引っ掛かり、破損を生じ易い問題がある。また、係合部３３が紙を収納している内箱３１の背面から切り起こされているため、外箱３２から内箱３１を引き出した際に、内箱３１における係合部３３の切り起こし部分３５から内箱３１の内部が外部に露出し、内箱３１に収納されている紙が汚損される可能性がある。さらに、紙箱の組立時において外箱３２内に内箱３１を収納する際に、係合部３３を外箱３２の開口部３４から外部に露出させなければならず、組立作業が煩雑になる問題がある。
【０００７】
この発明の目的は、開閉の際の操作性が良く、使用が長期間におよぶ場合でも破れることなく、最後まできちんと蓋をすることができる携帯用紙箱であって、内箱に形成された係合部が外箱の開口部から外部に露出することがなく、外観を損なうことがないとともに、破損を生じることがなく、内部に収納している紙の汚損を防止でき、組立作業を容易にすることができる携帯用紙箱を提供することにある。
【課題を解決するための手段】
【０００８】
上記の課題を解決するために、この発明の携帯用紙箱は、以下の構成を備えたものである。
【０００９】
（１）収納された紙を取り出すスリットを前面に備えた内箱と、該内箱が上面側に引き出し自在にして挿入される外箱と、で構成され、前記内箱の背面における下端部を外側に折り曲げて内箱側折曲片を形成し、前記外箱の背面における上端部を内側に折り曲げて外箱側折曲片を形成したことを特徴とする。
【００１０】
この構成においては、背面における下端部を外側に折り曲げることによって内箱側折曲片が形成された内箱が、背面における上端部を内側に折り曲げることによって外箱側折曲片が形成された外箱に、上面側に引き出し自在にして挿入される。外箱に挿入された内箱を上面側に引き出すと、内箱の前面に形成されたスリットが外箱の外部に露出し、内箱の内部に収納された紙がスリットから取り出せる状態になる。このとき、内箱の背面における下端部を外側に折り曲げて形成された内箱側折曲片が、外箱の背面における上端部を内側に折り曲げて形成された外箱側折曲片に、外箱の内部で引っ掛かり、内箱の上面側への移動が規制される。
【００１１】
（２）前記前記外箱の前面における上端部を、中央が両端よりも下方になるように形成したことを特徴とする。
【００１２】
この構成においては、内箱を外箱の内部に挿入する際に、スリットから一部を露出した状態で収納されている紙が、中央を両端よりも下方になるように形成された外箱の前面の上端部に当接する。したがって、スリットから露出した紙の一部は、両端部から中央に向かって順次外箱の前面の上端部に当接し、外箱の前面の外側に露出することがない。
【発明の効果】
【００１３】
上記の構成により、この発明によれば、以下の効果を奏することができる。
【００１４】
（１）外箱の上面側から内箱を外箱の内部に一旦挿入すると、内箱を外箱の上面側に引き出した際に、外箱の内部における内箱側折曲片と外箱側折曲片との係合によって内箱の上面側への移動を規制することができる。これによって、内箱に形成された係合部が外箱の開口部から外部に露出することがないため、外観を損なうこと、破損を生じること、及び、内部に収納している紙の汚損を防止し、かつ、組立作業を容易にしつつ、開閉の際の操作性を向上し、長期間にわたって繰り返し使用することができる。
【００１５】
（２）内箱を外箱内に収納する際に、スリットから露出した紙の一部が、両端部から中央に向かって順次外箱の前面の上端部に当接するようにし、外箱の前面と内箱の前面との間に確実に収納することができる。
【発明を実施するための最良の形態】
【００１６】
図１は、この発明の実施形態に係る携帯用紙箱の内箱の構成を示す展開図である。内箱１は、厚紙を素材として、差し込み片６、底面８、前面２、上面７、背面３及び内箱側折曲片３ａをそれぞれの間に折線を設けて上下方向に連続して形成し、前面２の左右両側に側面４及び折り返し片４ａをそれぞれの間に折線を設けて連続して形成し、背面３の左右両側に押し上げ片５を折線を介して連続して形成したものである。内箱１の前面２には、内部に収納された図示しない紙を取り出すためのスリット２ａが打ち抜かれている。
【００１７】
内箱１は、内箱側折曲片３ａを除く、差し込み片６、底面８、上面７、背面３、側面４、折り返し片４ａ及び押し上げ片５を、前面２を基準にして、各折線で内側に折り曲げ、差し込み片６を押し上げ片５と背面３との間に挿入して紙の収納部を形成する。内箱側折曲片３ａは折線において外側に折り曲げる。
【００１８】
図２は、上記携帯用紙箱の外箱の構成を示す展開図である。外箱１１は、厚紙を素材として、前面１３、側面１４、背面１２、側面１４及び糊代片１５をそれぞれの間に折線を設けて横方向に連続して形成し、前面の下方に底面１８及び折り返し片１７をそれぞれの間に折線を設けて連続して形成し、２つの側面１４の下方に折り返し片１６を折線を介して連続して形成し、背面１２の上方に外箱側折曲片１２ａを折線を介して連続して形成したものである。
【００１９】
なお、外箱１１の前面１３の上端部１３ａは、中央を両端よりも下方になるように湾曲した形状に形成されている。また、側面１４の上端部は、所定の長さにわたって切り欠かれている。
【００２０】
外箱１１は、背面１２を基準として、前面１３、側面１４、糊代片１５、底面１８、折り返し片１６、折り返し片１７及び外箱側折曲片１２ａを各折線で内側に折り曲げ、糊代片１５を底面１３に接着して、折り返し１６を内側に折った状態で、折り返し１７を底面１２と折り返し１６の間に挿入して組み立てられる。
【００２１】
図３は上記携帯用紙箱の断面図であり、同図（Ａ）は内箱を外箱内に収納した状態を示し、同図（Ｂ）は内箱を外箱から引き出した状態を示している。内箱１及び外箱１１をそれぞれ個別に組み立て、内箱１の内部に所定枚数の紙３１を収納する。内箱１は、外箱１１の上面側から外箱１１の内部に挿入する。
【００２２】
このとき、内箱側折曲片３ａは、内箱１の外側に折り曲げられているが、内箱１の背面３との間の折線側から外箱１１内に挿入される。また、外箱１１の内部には外箱１１の内側に折り曲げられた外箱側折曲片１２ａが存在するが、外箱１１内に挿入される内箱１は、外箱１１の背面１２との間の折線側から外箱側折曲片１２ａに当接する。
【００２３】
したがって、内箱１を外箱１１の上面側から外箱１１の内部に、何ら抵抗なく挿入することができ、図３（Ａ）に示すように、内箱１の底面８が外箱１１の底面１８に当接するまで挿入することができる。
【００２４】
なお、外箱１１において側面１４の上端部は切り欠かれているため、外箱１１の内部に挿入した内箱１の側面４の上端部が外部に露出している。この部分を一方の手の拇指と人差指又は中指とで摘むことにより、外箱１１から内箱１を容易に引き出すことができる。
【００２５】
内箱１を外箱１１の上面側に引き出していくと、内箱側折曲片３ａの開放端が、外箱１１の背面１２と外箱側折曲片１２ａとの間に進入する。さらに、内箱１を外箱１１の上面側に引き出していくと、図３（Ｂ）に示すように、外箱側折曲片１２ａの開放端が、内箱１の背面３と内箱側折曲片３ａとに当接する。また、内箱側折曲片３ａの開放端が、外箱１１の背面１２と外箱側折曲片１２ａとに当接する。これらの当接により、内箱１は、外箱１１の上面側にそれ以上引き出せなくなる。
【００２６】
このとき、内箱１の前面２に形成されたスリット２ａは、外箱１１の前面１３の上方において外部に露出している。このため、内箱１の内部に収納された紙を、スリット２ａを経由して取り出すことができる。
【００２７】
内箱１には、紙３１が１枚ずつ一部を噛み合わせた状態で折り重ねられて収納されており、１枚引き抜くと次の紙３１の先端３１ａがスリット２ａの上方又は下方に交互に露出する。この状態で、内箱１を外箱１１の内部に挿入する際には、スリット２ａから一部を露出した紙３１が、中央を両端よりも下方になるように湾曲して形成された外箱１１の前面１３の上端部１３ａに当接する。したがって、スリット２ａから露出した紙３１の一部は、両端部から中央に向かって順次外箱１１の前面１３の上端部１３ａに当接し、外箱１１の前面１２の外側に露出することなく、内箱１の前面２と外箱１１の前面１３との間に収納される。
【００２８】
上記のように、この実施形態に係る携帯用紙箱においては、外箱１１の内部における内箱側折曲片３ａと外箱側折曲片１２ａとの係合により、外箱１１の上面側への内箱１の引き出し範囲を規定することができるため、係合部材が外箱１１の外部に露出することがない。このため、携帯用紙箱の外観を損なうことや一部に破損を生じること、及び、内部に収納している紙の汚損を防止し、かつ、組立作業を容易にしつつ、開閉の際の操作性を向上し、長期間にわたって繰り返し使用することができる。
【図面の簡単な説明】
【００２９】
【図１】この発明の実施形態に係る携帯用紙箱の内箱の構成を示す展開図である。
【図２】同携帯用紙箱の外箱の構成を示す展開図である。
【図３】同携帯用紙箱の断面図である。
【図４】従来の携帯用紙箱の外観図である。
【図５】従来の別の携帯用紙箱の外観図である。
【符号の説明】
【００３０】
１  内箱
２  前面
２ａ  スリット
３  背面
３ａ  内箱側折曲片
１１  外箱
１２  背面
１２ａ  外箱側折曲片
３１  紙
【図１】
2006103741.tif 000003
【図２】
2006103741.tif 000004
【図３】
2006103741.tif 000005
【図４】
2006103741.tif 000006
【図５】
2006103741.tif 000007